(57)【特許請求の範囲】
【請求項１】
タッチパネル式ディスプレイを有する移動体通信端末が、複数又は単数の開閉装置を操作するためのタッチ入力画像を前記タッチパネル式ディスプレイに表示するステップと、
前記移動体通信端末が、前記タッチ入力画像に対するタッチ入力に応じて前記開閉装置を制御するための制御指令を、無線通信システムを介して前記開閉装置に送信するステップとを含む開閉装置操作方法であって、
前記移動体通信端末が、予め設定した解除条件を満足するまで、当該開閉装置操作方法による特定の処理以外の処理を制限するようにし、
前記特定の処理は、前記開閉装置の動作を停止するための停止ボタンを前記タッチ入力画像として表示し、該停止ボタンに対するタッチ入力待ちになる処理であることを特徴とする開閉装置操作方法。
【請求項２】
タッチパネル式ディスプレイを有する移動体通信端末が、複数又は単数の開閉装置を操作するためのタッチ入力画像を前記タッチパネル式ディスプレイに表示するステップと、
前記移動体通信端末が、前記タッチ入力画像に対するタッチ入力に応じて前記開閉装置を制御するための制御指令を、無線通信システムを介して前記開閉装置に送信するステップとを含む開閉装置操作方法であって、
前記移動体通信端末が、予め設定した解除条件を満足するまで、当該開閉装置操作方法による特定の処理以外の処理を制限するようにし、
前記タッチ入力画像には、前記開閉装置の開放動作を開始するための開ボタン、又は前記開閉装置の閉鎖動作を開始するための閉ボタンが含まれ、
前記解除条件は、前記開ボタン又は前記閉ボタンに対するタッチ入力の後に、予め設定された制限時間が経過することであることを特徴とする開閉装置操作方法。
【請求項３】
タッチパネル式ディスプレイを有する移動体通信端末が、複数又は単数の開閉装置を操作するためのタッチ入力画像を前記タッチパネル式ディスプレイに表示するステップと、
前記移動体通信端末が、前記タッチ入力画像に対するタッチ入力に応じて前記開閉装置を制御するための制御指令を、無線通信システムを介して前記開閉装置に送信するステップとを含む開閉装置操作方法であって、
前記移動体通信端末が、予め設定した解除条件を満足するまで、当該開閉装置操作方法による特定の処理以外の処理を制限するようにし、
前記解除条件は、前記移動体通信端末が、前記開閉装置に開閉動作を停止するための停止指令を送信したことであることを特徴とする開閉装置操作方法。
【請求項４】
前記特定の処理以外の処理は、前記特定の処理を行う画像の全部を非表示にする処理であることを特徴とする請求項１〜３何れか１項記載の開閉装置操作方法。
【請求項５】
前記特定の処理以外の処理は、該移動体通信端末のオペレーティングシステムのホーム画面を全画面表示する処理であることを特徴とする請求項１〜４何れか１項記載の開閉装置操作方法。
【請求項６】
前記移動体通信端末が、腕時計形のウェアラブルコンピュータであることを特徴とする請求項１〜５何れか１項記載の開閉装置操作方法。
【請求項７】
請求項１〜６何れか１項記載の開閉装置操作方法を、前記移動体通信端末に実行させるためのプログラム。
【請求項８】
請求項７記載のプログラムが記録されているコンピュータ読み取り可能な記録媒体。
【請求項９】
請求項１〜６何れか１項記載の開閉装置操作方法が実行されるようにした移動体通信端末。
【請求項１０】
請求項１〜６何れか１項記載の開閉装置操作方法が実行されるようにした開閉装置操作システム。
【発明の詳細な説明】
【技術分野】
【０００１】
本発明は、住宅やビル、倉庫、工場、地下街、トンネル、車両の荷台等の構造物の開口部や通路に設けられる開閉装置（例えば、シャッター装置、ブラインド装置、ロールスクリーン装置、垂れ幕装置、引戸装置、移動間仕切装置、オーニング装置、防水板装置等）を操作対象とした、開閉装置操作方法、プログラム、記録媒体、移動体通信端末及び開閉装置操作システムに関するものである。
【背景技術】
【０００２】
従来、この種の発明には、例えば特許文献１に記載されるものように、スマートフォンのタッチパネル式ディスプレイに開ボタン、停止ボタン及び閉ボタン等を表示し、これら複数のボタンのうち、何れかのボタンが選択的に操作された場合に、操作されたボタンに対応する制御指令を無線発信し、該制御指令を受信した開閉装置の動作を制御するようにした開閉体制御システムがある。
この従来技術によれば、専用のリモコン操作スイッチを用いずとも、専用プログラム（アプリ）をインストールしたスマートフォンを用いて開閉装置を操作することができる。
【先行技術文献】
【特許文献】
【０００３】
【特許文献１】特開２０１３−１６３９５８号公報
【発明の概要】
【発明が解決しようとする課題】
【０００４】
しかしながら、例えば、前記スマートフォンを用いて前記開閉装置を開閉体を閉鎖動作させている最中に、操作者が当該スマートフォンのホームボタン（詳細には、オペレーティングシステムのホーム画面へ移行するためのボタン）を操作した場合には、表示中の画面が前記ホーム画面に移行してしまうため、前記開閉装置の閉鎖動作を停止するには、前記開閉装置の画面に戻す操作や、停止ボタンを表示する操作等が必要になる。
【課題を解決するための手段】
【０００５】
このような課題に鑑みて、本発明は、以下の構成を具備するものである。
タッチパネル式ディスプレイを有する移動体通信端末が、複数又は単数の開閉装置を操作するためのタッチ入力画像を前記タッチパネル式ディスプレイに表示するステップと、前記移動体通信端末が、前記タッチ入力画像に対するタッチ入力に応じて前記開閉装置を制御するための制御指令を、無線通信システムを介して前記開閉装置に送信するステップとを含む開閉装置操作方法であって、前記移動体通信端末が、予め設定した解除条件を満足するまで、当該開閉装置操作方法による特定の処理以外の処理を制限するようにし、前記特定の処理は、前記開閉装置の動作を停止するための停止ボタンを前記タッチ入力画像として表示し、該停止ボタンに対するタッチ入力待ちになる処理であることを特徴とする開閉装置操作方法。
また、本発明の他の態様としては、以下の構成を具備する。
タッチパネル式ディスプレイを有する移動体通信端末が、複数又は単数の開閉装置を操作するためのタッチ入力画像を前記タッチパネル式ディスプレイに表示するステップと、前記移動体通信端末が、前記タッチ入力画像に対するタッチ入力に応じて前記開閉装置を制御するための制御指令を、無線通信システムを介して前記開閉装置に送信するステップとを含む開閉装置操作方法であって、前記移動体通信端末が、予め設定した解除条件を満足するまで、当該開閉装置操作方法による特定の処理以外の処理を制限するようにし、前記タッチ入力画像には、前記開閉装置の開放動作を開始するための開ボタン、又は前記開閉装置の閉鎖動作を開始するための閉ボタンが含まれ、前記解除条件は、前記開ボタン又は前記閉ボタンに対するタッチ入力の後に、予め設定された制限時間が経過することであることを特徴とする開閉装置操作方法。
また、本発明の他の態様としては、以下の構成を具備する。
タッチパネル式ディスプレイを有する移動体通信端末が、複数又は単数の開閉装置を操作するためのタッチ入力画像を前記タッチパネル式ディスプレイに表示するステップと、
前記移動体通信端末が、前記タッチ入力画像に対するタッチ入力に応じて前記開閉装置を制御するための制御指令を、無線通信システムを介して前記開閉装置に送信するステップとを含む開閉装置操作方法であって、前記移動体通信端末が、予め設定した解除条件を満足するまで、当該開閉装置操作方法による特定の処理以外の処理を制限するようにし、前記解除条件は、前記移動体通信端末が、前記開閉装置に開閉動作を停止するための停止指令を送信したことであることを特徴とする開閉装置操作方法。
【発明の効果】
【０００６】
本発明によれば、移動体通信端末を用いて開閉装置を操作する際の操作性を向上することができる。
【図面の簡単な説明】
【０００７】
【図１】本発明に係る開閉装置操作方法を適用した開閉装置操作システムの一例を示すブロック図である。
【図２】同開閉装置操作方法に用いられるウェアラブルコンピュータの一例を示す平面図であり、（ａ）は開ボタンが表示された状態を示し、（ｂ）は閉ボタンが表示された状態を示し、（ｃ）は開閉装置選択画面が表示された状態を示す。
【図３】同開閉装置操作方法に用いられるウェアラブルコンピュータの一例を示す平面図であり、（ａ）は停止ボタンが表示された状態を示し、（ｂ）は停止ボタンが表示された状態で回転操作体が押圧操作された状態を示す。
【図４】同開閉装置操作方法に用いられるウェアラブルコンピュータの一例を示す平面図であり、（ａ）は停止ボタンがタッチ入力操作された状態を示し、（ｂ）は回転操作体への押圧操作によりホーム画面が表示された状態を示す。
【図５】本発明に係る開閉装置操作方法による処理の一例を示すフローチャートである。
【図６】開閉装置選択ルーチンでの処理の一例を示すフローチャートである。
【図７】処理制限ルーチンでの処理の一例を示すフローチャートである。
【発明を実施するための形態】
【０００８】
本実施の形態の特徴の一つは、タッチパネル式ディスプレイを有する移動体通信端末が、複数又は単数の開閉装置を操作するためのタッチ入力画像を前記タッチパネル式ディスプレイに表示するステップと、前記移動体通信端末が、前記タッチ入力画像に対するタッチ入力に応じて前記開閉装置を制御するための制御指令を、無線通信システムを介して前記開閉装置に送信するステップとを含む開閉装置操作方法であって、前記移動体通信端末が、予め設定した解除条件を満足するまで、当該開閉装置操作方法による特定の処理以外の処理を制限するようにした。
【０００９】
ここで、前記「タッチパネル式ディスプレイを有する移動体通信端末」とは、移動体通信システムを利用した通信機能を有するとともにタッチパネル式ディスプレイを具備した汎用コンピュータを意味し、この移動体通信端末には、ウェアラブルコンピュータや、スマートフォン、タブレットパソコン、タッチパネル式ディスプレイを有する携帯電話、前記通信機能を有するゲーム機、ＰＤＡ等を含む。なお、この移動体通信端末には、開閉装置に標準装備される専用リモコン装置は含まない。
また、前記移動体通信端末をウェアラブルコンピュータとした場合、このウェアラブルコンピュータの具体例には、時計型のものや、眼鏡型のもの、ネックレス型のもの、指輪型のもの等が挙げられる。
また、前記「無線通信システム」には、前記移動体通信端末と前記開閉装置の間に移動体通信網及びインターネット回線を介在して無線通信する態様や、前記移動体通信網等を用いずに、赤外線通信や、Ｗｉ−Ｆｉ通信、その他の近距離無線通信等による無線通信装置を用いて直接無線通信する態様等を含む。
【００１０】
他の特徴として、前記特定の処理は、前記開閉装置の動作を停止するための停止ボタンを前記タッチ入力画像として表示し、該停止ボタンに対するタッチ入力待ちになる処理である。
【００１１】
他の特徴としては、前記特定の処理以外の処理を、前記特定の処理を行う画像の全部を非表示にする処理とする。
【００１２】
他の特徴として、前記特定の処理以外の処理は、該移動体通信端末のオペレーティングシステムのホーム画面を全画面表示する処理である。
【００１３】
他の特徴として、前記タッチ入力画像には、前記開閉装置の開放動作を開始するための開ボタン、又は前記開閉装置の閉鎖動作を開始するための閉ボタンが含まれ、前記解除条件は、前記開ボタン又は前記閉ボタンに対するタッチ入力の後に、予め設定された制限時間が経過することである。
【００１４】
他の特徴として、前記解除条件は、前記移動体通信端末が、前記開閉装置に開閉動作を停止するための停止指令を送信したことである。
【００１５】
他の特徴としては、前記移動体通信端末を、腕時計形のウェアラブルコンピュータとした。
【００１６】
他の特徴としては、前記開閉装置操作方法を前記移動体通信端末に実行させるためのプログラムを構成した。
【００１７】
他の特徴としては、前記プログラムが記録されているコンピュータ読み取り可能な記録媒体を構成した。
【００１８】
他の特徴としては、前記開閉装置操作方法が実行されるようにした移動体通信端末を構成した。
【００１９】
他の特徴としては、前記開閉装置操作方法が実行されるようにした開閉装置操作システムを構成した。
【００２０】
次に、上記特徴を有する好ましい実施態様について、図面に基づいて詳細に説明する。
本発明に係る開閉装置操作方法を適用した開閉装置操作システムは、図１に示すように、複数又は単数（図示例によれば２つ）の開閉装置１，２と、タッチパネル式ディスプレイを有する補助端末１０及びウェアラブルコンピュータ２０（移動体通信端末）と、これらの間の無線通信を可能にする無線通信システムＸとを具備している。
【００２１】
開閉装置１，２の各々は、建物の窓硝子の外側やガレージの開口部等に設けられたシャッター装置であり、上下方向へ開閉動作する開閉体ａと、該開閉体ａをその上方側で収納したり繰り出したりする収納部ｂと、開閉体ａの幅方向の両端部を囲んで上下方向へ案内するガイドレールｃとを備える。
【００２２】
収納部ｂは、横長矩形状のケース内に、開閉体ａを巻き取ったり繰出したりする巻取軸（図示せず）と、該巻取軸を双方向へ駆動回転する開閉機ｂ１と、該開閉機ｂ１を制御する制御部ｂ２と、無線通信システムＸ等を介してウェアラブルコンピュータ２０と通信を行う通信部ｂ３とを具備している。
【００２３】
開閉体ａは、横長矩形状のスラットを上下間で回動するように複数連接してなり、開口部を閉鎖可能な板状に構成される。この開閉体ａは、上方側の巻取軸によって巻き取られたり繰り出されたりすることで、空間を開放したり仕切ったりするようにして開放動作する。
この開閉体ａの他例としては、前記スラットの他、パイプ材や、可撓性シート材、パネル状部材等を単独又は適宜に組み合わせた態様とすることが可能である。
【００２４】
開閉機ｂ１は、前記巻取軸を巻取り方向及び繰出し方向へ回転させる電動モータや、前記電動モータの回転を制動するブレーキ機構等により構成され、必要に応じて、開閉体ａの開閉状態を検知する検知部を具備する。
【００２５】
制御部ｂ２は、例えば、マイコンや記憶装置、リレー回路等からなる電気回路であり、予め記憶したプログラムにより動作する。
この制御部ｂ２は、通信部ｂ３からの指令に基づき開閉機ｂ１を制御することで、開閉体ａを開放動作や閉鎖動作したり、あるいは停止したり等する。
さらに、この制御部ｂ２は、必要に応じて、開閉体ａの開閉位置や動作状態等を示す信号を通信部ｂ３を介して外部へ出力する。
【００２６】
通信部ｂ３は、小電力無線局として機能する無線モジュール（詳細には、無線ＬＡＮ（Ｗｉ−Ｆｉ）モジュールや、ブルートゥース(登録商標)通信モジュール、特定小電力無線モジュール等）、及び赤外線通信モジュール等の近距離無線通信装置を備え、外部通信機器から受信した指令を制御部ｂ２へ転送したり、制御部ｂ２から入力した情報（例えば、開閉体位置情報等）を無線発信したりするように構成される。
この通信部ｂ３は、開閉装置制御サーバーｘ１に対し送受信を行ったり、ウェアラブルコンピュータ２０及び補助端末１０に対し直接送受信を行ったり等、後述する無線通信システムＸの一部として機能する。
【００２７】
無線通信システムＸは、開閉装置１，２とウェアラブルコンピュータ２０との間で、これらの間の相互無線通信を可能にするシステムであり、開閉装置制御サーバーｘ１、ルーターｘ２及びモデムｘ３、ネットワーク回線ｘ４、上述した各開閉装置１，２の通信部ｂ３、補助端末１０内の通信装置、ウェアラブルコンピュータ２０内の通信装置等により構成される。
この無線通信システムＸは、開閉装置１，２とウェアラブルコンピュータ２０の間にネットワーク回線ｘ４又は開閉装置制御サーバーｘ１を介在させるようにした間接通信経路と、開閉装置１，２とウェアラブルコンピュータ２０の間で直接無線通信を行う直接通信経路とを構築する。
【００２８】
前記間接通信経路と、前記直接通信経路とは、これら両方が同時に構築されるようにしてもよいし、両方を構築可能な状態において、何れか一方のみが選択的に構築されるようにしてもよい。また、他例としては、前記間接通信経路と、前記間接通信経路とのうち、何れか一方を省略し、他方のみを構築可能にした構成とすることも可能である。
【００２９】
開閉装置制御サーバーｘ１、ルーターｘ２及びモデムｘ３は、複数の開閉装置１，２を設置した建物内等に設置される。
開閉装置制御サーバーｘ１は、記憶装置に予め記憶されたプログラムによりＣＰＵを機能させるようにしたコンピュータであり、ルーターｘ２及びモデムｘ３を介してネットワーク回線ｘ４に接続（無線ＬＡＮ接続（WI-FI接続）又は有線ＬＡＮ接続）する通信装置、前記通信部ｂ３のものと同様の前記近距離無線通信装置等を具備し、開閉装置１，２に対し相互通信を行うとともに、補助端末１０及びウェアラブルコンピュータ２０に対し、ネットワーク回線ｘ４を介した間接通信と、ネットワーク回線ｘ４を介さない直接通信とを行うように構成される。
【００３０】
ネットワーク回線ｘ４は、スマートフォンや、携帯電話、ＰＨＳ等の携帯電話サービス会社などによって提供される移動体通信網、及び、該移動体通信網にＩＳＰ（Internet Service Provider）等を介して接続されたインターネット通信網等によって構成される。
【００３１】
補助端末１０は、図示例によればスマートフォンであり、入力されたデータを演算処理するＣＰＵ、記憶装置、入出力装置（タッチパネル式ディスプレイを含む）、無線送受信機等を具備し、予め記憶された開閉装置操作プログラム（アプリ）により機能するように構成される。
この補助端末１０は、携帯電話回線やＷｉ−Ｆｉ等によりネットワーク回線ｘ４に無線接続するネットワーク接続機能と、赤外線通信や、Ｗｉ−Ｆｉ通信、ブルートゥース(登録商標)通信等により、ウェアラブルコンピュータ２０に直接的に無線接続する直接通信機能とを有している。
したがって、この補助端末１０は、必要に応じて、前記直接通信機能を用いて、開閉装置制御サーバーｘ１に直接接続したり、開閉装置１，２に直接接続したりすることが可能である。
【００３２】
ウェアラブルコンピュータ２０は、時計機能を有する腕時計形の移動体通信端末であり、入力されたデータを演算処理するＣＰＵ、記憶装置、入出力装置、無線送受信機等を具備する。
このウェアラブルコンピュータ２０は、補助端末１０と同様に、携帯電話回線やＷｉ−Ｆｉ等によりネットワーク回線ｘ４に無線接続するネットワーク接続機能と、赤外線通信や、Ｗｉ−Ｆｉ通信、ブルートゥース(登録商標)通信等により補助端末１０に直接的に無線接続する直接通信機能とを有している。
したがって、このウェアラブルコンピュータ２０は、必要に応じて、前記直接通信機能を用いて、開閉装置制御サーバーｘ１に直接接続したり、開閉装置１，２に直接接続したりすることが可能である。
【００３３】
また、ウェアラブルコンピュータ２０は、静電容量型のタッチパネル式ディスプレイ２１や、指先で回転操作される竜頭タイプの回転操作体２２等の入力装置、および記憶装置を具備し、さらに、必要に応じて、音声を入力するためのマイクや、ＧＰＳ（Global Positioning System）、各種センサ等を具備している。
【００３４】
そして、このウェアラブルコンピュータ２０には、該ウェアラブルコンピュータ２０全体を管理する基本ソフトウェアであるＯＳ（オペレーティングシステム）がインストールされ、さらに、該ＯＳ上で動作する複数のプログラム（アプリ）もインストールされている。
前記複数のプログラムには、開閉装置１，２を操作するための開閉装置操作プログラムが含まれる。この開閉装置プログラムは、補助端末１０にダウンロードされ記憶された開閉装置操作プログラムの一部を、補助端末１０との通信により取得したものとすればよい。
前記ＯＳは、前記プログラム（アプリ）の実行中、所定の操作（本実施の形態の一例によれば回転操作体２２に対する押圧操作）により当該ＯＳのホーム画面Ｈ（図４参照）を強制的に表示する機能と、該機能を所定の条件により無効（禁止）にしたり有効にしたりする機能とを具備している。
本実施の形態は、前記二つの機能を有するＯＳ上で、前記開閉装置操作プログラムを実行することを前提としている。
【００３５】
また、ウェアラブルコンピュータ２０の記憶装置には、停止ボタン２３ａや、開ボタン２５、閉ボタン２４等を表示する画面（図２（ａ）（ｂ）及び図３参照）や、開閉装置選択画面２６（図２（ｃ）参照）等が予め記憶されている。
【００３６】
次に、上記開閉装置操作システムを用いた開閉装置操作方法の一例について、図５〜図７に示すフローチャートに沿って、処理手順を詳細に説明する。
【００３７】
この処理は、ウェアラブルコンピュータ２０（移動体通信端末）が、複数又は単数の開閉装置１，２を操作するためのタッチ入力画像をタッチパネル式ディスプレイ２１に表示するステップと、ウェアラブルコンピュータ２０が、前記タッチ入力画像に対するタッチ入力に応じて開閉装置１，２を制御するための制御指令を、無線通信システムＸを介して開閉装置１，２に送信するステップとを含み、ウェアラブルコンピュータ２０が、予め設定した解除条件を満足するまで、当該開閉装置操作方法による特定の処理以外の処理を制限する。
【００３８】
詳細に説明すれば、図５のステップ１に示すように、先ず、ウェアラブルコンピュータ２０は、電源ボタン（図示せず）がオンにされ、所定の操作または自動処理により前記開閉装置操作プログラムが起動されると、直近に操作された開閉装置１（又は２）の名称２７をタッチ入力不能な画像として表示するとともに、同開閉装置１（又は２）を操作するための操作画面２１ａを表示する（図１参照）。なお、図中、符号２８は、現在の時刻を表示する時刻表示画像である。
【００３９】
ここで、「直近に操作された開閉装置」とは、後述するステップ７にて記録された開閉装置コードに対応する開閉装置のことであり、前記開閉装置操作プログラムの起動が初回である場合には、予め記憶された初期値としての開閉装置コードに対応する開閉装置とされる。なお、他例としては、前記開閉装置操作プログラムの起動が初回である場合にステップ３ａへ処理をジャンプして、開閉装置選択画面２６（図２（ｃ）参照）を表示するようにしてもよい。
また、「開閉装置コード」とは、設置場所等が異なる複数の開閉装置１，２を識別するためのコードであり、開閉装置１，２の名称２７と一対一で対応している。
【００４０】
また、操作画面２１ａは、スワイプ操作により上下にスクロール可能な画面であり、停止ボタン２３を中心に、その上側に開閉装置１，２の閉鎖動作を開始するための閉ボタン２４を配置し、下側に開閉装置１，２の開放動作を開始するための開ボタン２５を配置している。
そして、この操作画面２１ａは、スワイプ操作のない初期状態では、停止ボタン２３を単一表示するとともに、該停止ボタン２３以外の操作ボタン（閉ボタン２４や開ボタン２５等）が表示されないようにしている（図１及び３（ａ）参照）。
【００４１】
ウェアラブルコンピュータ２０は、操作画面２１ａ（停止ボタン２３）に対するスワイプ操作があるか否かを判断し（ステップ２）、スワイプ操作があればそのスワイプ方向へ操作画面２１ａをスクロールし（ステップ３）、スワイプ操作がなければステップ２ａへ処理を移行する。
例えば、停止ボタン２３に対し上側へスワイプ操作した場合には、停止ボタン２３の下側に隠されている開ボタン２５が出現する（図２（ａ）参照）。
また、停止ボタン２３に対し下側へスワイプ操作した場合には、停止ボタン２３の上側に隠されている閉ボタン２４が出現する（図２（ｂ）参照）。
このように、本実施の形態では、スワイプ操作の方向と、閉ボタン２４又は開ボタン２５の機能（開閉体ａの動作方向）とを対応させているため、操作性が良好である。
【００４２】
これら停止ボタン２３、開ボタン２５、閉ボタン２４は、それぞれ、タッチパネル式ディスプレイ２１一杯の比較的広い面積で単一表示される（図２（ａ）（ｂ）及び図３参照）。
閉ボタン２４のデザインは、閉方向（すなわち下方向）を示唆するイメージが含まれていることが好ましい。同様に、開ボタン２５のデザインは、開方向（すなわち上方向）を示唆するイメージが含まれていることが好ましい。
さらに、停止ボタン２３と、閉ボタン２４と、開ボタン２５は、判別し易いように色分けするのが好ましく、特に、これらのうち、停止ボタン２３のみに赤色などの注意色を用いることで、危険回避等の咄嗟の停止操作が行われる場合に、誤操作を防ぐことができる。
なお、必要に応じて、閉ボタン２４又は開ボタン２５が表示された後、逆方向のスワイプ操作により、操作画面２１ａが逆方向へスクロールし、停止ボタン２３が再び表示され、処理がステップ２へ戻るようにしてもよい。
【００４３】
また、ステップ２ａでは、回転操作体２２に対する回転操作があるか否かが判断され、回転操作があればステップ３ａへ処理を移行して後述する開閉装置選択ルーチンにより開閉装置１，２の選択が行われ、回転操作がなければステップ４へ処理をジャンプする。
【００４４】
次に、ステップ４では、操作画面２１ａの停止ボタン２３に対しタッチ入力があったか否かが判断され、タッチ入力があればステップ５へ処理を進め、そうでなければステップ４ａへ処理を移行する。
ステップ５では、ウェアラブルコンピュータ２０が、操作対象の開閉装置１（又は２）の動作を停止するための停止指令を発し、処理をステップ６へ移行する。
一方、開閉装置１（又は２）の制御部ｂ２は、前記停止指令を受けると、開閉機ｂ１を停止して開閉体ａの開閉動作を停止する。
【００４５】
また、ステップ４ａでは、操作画面２１ａの開ボタン２５に対しタッチ入力があったか否かが判断され、タッチ入力があれば次のステップ５ａへ処理が進められ、そうでなければステップ４ｂへ処理が移行する。
ステップ５ａでは、ウェアラブルコンピュータ２０が、操作対象の開閉装置１（又は２）の開放動作を開始するための開放指令を発し、処理をステップ６ａへ移行する。
一方、開閉装置１（又は２）の制御部ｂ２は、前記開放指令を受けると、開閉機ｂ１を駆動して開閉体ａの開放動作を開始する。
【００４６】
また、ステップ４ｂでは、操作画面２１ａの閉ボタン２４に対しタッチ入力があったか否かが判断され、タッチ入力があれば次のステップ５ｂへ処理が進められ、そうでなければステップ２へ処理が戻される。
ステップ５ｂでは、ウェアラブルコンピュータ２０が、操作対象の開閉装置１（又は２）の閉鎖動作を開始するための閉鎖指令を発し、処理をステップ６ａへ移行する。
一方、開閉装置１（又は２）の制御部ｂ２は、前記閉鎖指令を受けると、開閉機ｂ１を駆動して開閉体ａの閉鎖動作を開始する。
【００４７】
そして、ステップ６ａでは、停止ボタン２３のみをスクロール不能なタッチ入力画像として表示し、処理をステップ７ａへ移行する。
すなわち、このステップ６ａは、開閉装置１，２へ開放指令又は閉鎖指令を発した直後であるため、動作中の開閉装置１，２を速やかに停止できるように、停止ボタン２３のみを表示するようにしている。
【００４８】
次のステップ７ａでは、後述する処理制限ルーチン（図７参照）を実行し、この後、処理をステップ６へ移行する。
【００４９】
ステップ６では、処理制限ルーチンにより処理制限が行われている場合に、この処理制限を解除する処理を行い、処理を次のステップ７へ進める。
なお、このステップ６において、前記処理制限が既に解除されている場合には、この解除状態を維持したまま、次のステップ７へ処理を進める。
【００５０】
ステップ７では、操作が行われた開閉装置１（又は２）に対応する開閉装置コードと、操作が行われた時刻とが、ウェアラブルコンピュータ２０の記憶装置に記憶される。このステップ７の後、処理はステップ１へ戻される。
なお、このステップ７において、前記開閉装置コードを記録する処理は、前回操作された開閉装置１（又は２）の開閉装置コードに対し、上書きで記録するようにしてもよいし、履歴として利用できるように上書きせずに記録するようにしてもよい。また、直近に操作された開閉装置１（又は２）の開閉装置コードのみを利用する場合や、操作された開閉装置１，２の順番を利用する場合には、前記時刻の記録を省略することが可能である。
【００５１】
また、図６に示す開閉装置選択ルーチンでは、先ず、ウェアラブルコンピュータ２０が、タッチパネル式ディスプレイ２１に開閉装置選択画面２６（図２（ｃ）参照）を表示する（ステップ１１）。
【００５２】
ここで、「開閉装置選択画面」とは、操作対象とする開閉装置を選択するための画面である。この開閉装置選択画面では、複数の開閉装置に対応する複数種類の選択ボタン２６ａを、スクロール可能に表示するとともに、中央に位置するボタンのみをタッチ入力可能にしている。
例えば、図２（ｃ）に示す開閉装置選択画面２６の表示例では、中央に「１階リビング」の開閉装置に対応するボタンを配置し、その上側に「１階和室」の開閉装置に対応するボタンを配置し、下側には「ガレージ」の開閉装置に対応するボタンを配置し、これら複数のボタンをスクロール可能に表示するとともに、中央に位置するボタン（図示例によれば「１階リビング」）のみをタッチ入力可能にしている。
なお、図２（ｃ）は、開閉装置選択画面２６のイメージを模式的に例示すものであり、選択ボタン２６ａの数が、図１に示す開閉装置１，２の数に対応していなが、通常は、これらの数が対応している。
【００５３】
次のステップ１２，１２ａ及び１３では、回転操作体２２に対する回転操作、又は開閉装置選択画面２６に対するスワイプ操作があるか否かが判断され、何れかの操作があった場合には、その操作方向へ開閉装置選択画面２６をスクロールして、ステップ１４へ処理を進める。
【００５４】
ステップ１４では、開閉装置選択画面２６の特定の選択ボタン２６ａへのタッチ入力の有無により開閉装置が選択されたか否かを判断し、開閉装置が選択さたならば次のステップ１５へ処理を移行し、そうでなければステップ１２へ処理を戻す。
【００５５】
ステップ１５では、選択された開閉装置１（又は２）の名称２７をタッチ入力不能な画像として表示するとともに、同開閉装置１（又は２）に対応する操作画面２１ａをスクロール可能に表示する。この際の操作画面２１ａは、停止ボタン２３を初期のタッチ入力画像として表示する（図１参照）。
そして、ステップ１５の後、処理は上記ステップ４（図５参照）へ移行する。
【００５６】
また、図７に示す処理制限ルーチンでは、先ず、ウェアラブルコンピュータ２０が、処理制限を開始する（ステップ２１）。この処理制限の開始は、例えば、予め記憶装置に記憶した変数である処理制限フラグをＯＮにする処理を行えばよい。
【００５７】
前記処理制限は、所定の操作によりＯＳのホーム画面Ｈが強制的に全画面表示される機能を無効にすることで、前記ステップ６ａにより表示した停止ボタン２３の画像の全部が非表示にされる処理を行わないようにする。
すなわち、前記処理制限（ステップ２１）の最中に、例えば、回転操作体２２に対する押圧操作等により、ホーム画面Ｈを全画面表示する処理が行われようとした場合でも、ウェアラブルコンピュータ２０は、この処理を無効にし、停止ボタン２３の画像を表示し続ける（図３（ａ）（ｂ）参照）。
【００５８】
次のステップ２２では、ウェアラブルコンピュータ２０が、予め設定され記憶された制限時間のカウントを開始する。
この制限時間は、開閉装置１，２が開閉体ａを全閉位置から全開位置まで開放動作させた時間と、開閉装置１，２が開閉体ａを全開位置から全閉位置まで閉鎖動作させた時間とを含むように、これら開閉動作時間に適宜なマージンを加えた時間とされる。
【００５９】
ステップ２３では、前記制限時間を経過したか否かを判断し、前記制限時間を経過していれば、上記ステップ６（図５参照）へ処理を戻し、そうでなければステップ２４へ処理を移行する。
【００６０】
ステップ２４では、上記ステップ６ａで表示した停止ボタン２３に対するタッチ入力操作があったか否かを判断し、タッチ入力操作があれば処理をステップ２５へ移行し、そうでなければ処理をステップ２３へ戻す。
【００６１】
ステップ２５では、ウェアラブルコンピュータ２０が、操作対象とされている開閉装置１（又は２）に対し停止指令を発し、処理を上記ステップ６（図５参照）へ戻す。
一方、開閉装置１（又は２）の制御部ｂ２は、前記停止指令を受けると、開閉機ｂ１を停止して開閉体ａの開閉動作を停止する。
【００６２】
次に、本実施の形態による特徴的な作用効果について説明する。
先ず、開閉装置操作プログラムを起動した際には、直近に操作された開閉装置１（又は２）の停止ボタン２３が表示される。一般的に、直近に操作された開閉装置１（又は２）は再操作の対象となる可能性が高いため、その再操作を速やかに行うことができる。
そして、停止ボタン２３をスワイプ操作すれば、該停止ボタン２３を含む操作画面２１ａをスクロールさせて閉ボタン２４や開ボタン２５を表示でき、また、回転操作体２２を回転操作すれば、操作対象とする開閉装置１，２を選択することができる。
【００６３】
また、開ボタン２５又は閉ボタン２４が操作されると、開放指令又は閉鎖指令が送信され、この送信の直後に停止ボタン２３が表示される（ステップ４ａ，４ｂ，５ａ，５ｂ，６ａ参照）。このため、次の停止操作を速やかに行うことができる。
【００６４】
そして、前記開放指令又は前記閉鎖指令に続く前記停止ボタン２３の表示の後は、上述した処理制限が行われる。この処理制限下では、所定の操作によりＯＳのホーム画面Ｈを強制的に全画面表示する機能が無効にされる。したがって、例えば、図３（ａ）（ｂ）に示すように、回転操作体２２が指ｆ等により押されたとしても、停止ボタン２３の表示状態が維持される。
【００６５】
また、前記処理制限下において、所定の制限時間が経過するか、あるいは該制限時間中に停止ボタン２３の操作により停止指令が送信された場合には、前記処理制限が解除される（ステップ２３〜２５及びステップ６参照）。
この解除状態では、例えば、図４（ａ）（ｂ）に示すように、回転操作体２２が指ｆ等により押されると、ホーム画面Ｈが強制的に全画面表示される。
なお、前記処理制限に入る前の段階（ステップ１〜４，２ａ，３ａ等）においても、回転操作体２２への押圧操作によりホーム画面Ｈの表示が可能である。
【００６６】
よって、本実施の形態によれば、操作対象とした開閉装置１（又は２）の動作中は、停止ボタン２３のみが表示され、他の画面への切り換えが禁止されているため、動作中の開閉装置１（又は２）について、危険回避等のための緊急停止を素早く行うことができる。
【００６７】
また、本発明に係る他の実施形態としては、上記開閉装置操作方法を移動体通信端末（ウェアラブルコンピュータ２０）に実行させるための上記開閉装置操作プログラムを記録した記録媒体を構成する。
ここで、前記記録媒体の具体例としては、磁気テープや、磁気ディスク（ハードディスクやフレキシブルディスクを含む）、光学ディスク（ＤＶＤやＣＤ、ＢＤ、ＬＤ等を含む）、光磁気ディスク、フラッシュメモリ（ＵＳＢメモリやＳＤカード、ＳＳＤ（Solid State Drive）、ｅＭＭＣ（embedded Multi Media Card）を含む）等が挙げられる。
【００６８】
なお、上記実施の形態では、上記処理制限の一例として、ホーム画面Ｈの全画面表示により停止ボタン２３が非表示になる処理を禁止したが、上記処理制限の他例としては、電話やメールの着信を知らせる着信画面の表示により停止ボタン２３が非表示になる処理を禁止する態様や、同ウェアラブルコンピュータ２０により実行されている他のプログラム（アプリ）の画像の表示により停止ボタン２３が非表示になる処理を禁止する態様とすることも可能である。
【００６９】
また、上記実施の形態では、停止ボタン２３に対するタッチ入力待ちになる処理を特定の処理とし、この特定の処理以外の処理を制限するようにしたが、他例としては、開閉装置選択画面２６に対するタッチ入力待ちになる処理を前記特定の処理とした態様や、当該開閉装置操作方法による他の処理を前記特定の処理とした態様とすることも可能である。
【００７０】
また、上記実施の形態に追加可能な好ましい構成としては、回転操作体２２に対する押圧操作や前記着信等があった場合に、停止ボタン２３を操作可能な状態で一部だけ非表示にし、この一部のエリアに、ホーム画面Ｈや前記着信画面等を、部分的に表示したり縮小表示したりするようにしてもよい。
【００７１】
また、上記実施の形態によれば、ウェアラブルコンピュータ２０が停止指令を送信したことを条件に上記処理制限を解除するようにしたが、他例としては、ウェアラブルコンピュータ２０が開閉装置１，２の状態を示す開閉装置状態信号を無線通信システムＸを介して受信するステップを有するものとし、ウェアラブルコンピュータ２０が、前記開閉装置状態信号により認識される開閉装置１（又は２）の状態に応じて（例えば、停止状態と認識された場合に）、上記処理制限を解除するようにすることも可能である。
【００７２】
また、図１では、二つの開閉装置１，２を例示しているが、本実施の形態は、単数又は複数（三以上を含む）の開閉装置を操作対象とすることが可能である。
【００７３】
また、上記実施の形態では、補助端末１０をスマートフォンとしているが、この補助端末１０の他例としては、携帯電話や、ＰＨＳ、インターネット接続機能を有するコンピュータ（タブレットパソコンや、ノートパソコン、ＰＤＡ、ゲーム機等を含む）とすることも可能である。
【００７４】
また、上記実施の形態では、移動体通信端末の一例としてのウェアラブルコンピュータ２０に、上記処理制限を行うようにしたが、他例としては、上記補助端末１０に対し、上記処理制限を行う態様とすることも可能である。
【００７５】
また、上記実施の形態では、補助端末１０を具備する構成としたが、他例としては、開閉装置制御サーバーｘ１とウェアラブルコンピュータ２０とを直接的に無線接続する通信経路、ネットワーク回線ｘ４とウェアラブルコンピュータ２０とを直接的に無線接続する通信経路、又は開閉装置１，２とウェアラブルコンピュータ２０とを直接的に無線接続する通信経路を用いることで、補助端末１０を省くことも可能である。
【００７６】
また、上記実施の形態では、本発明に係る開閉装置操作方法を実行するための開閉装置操作プログラムを補助端末１０及びウェアラブルコンピュータ２０に記憶するようにしているが、他例としては、前記開閉装置操作プログラムを補助端末１０のみに記憶しておき、この開閉装置操作プログラムをウェアラブルコンピュータ２０が呼び込んで実行する態様とすることも可能である。
さらに、他例としては、前記開閉装置操作プログラムを、開閉装置制御サーバーｘ１、又はネットワーク回線ｘ４上のクラウドシステムに予め記憶しておき、この開閉装置操作プログラムをウェアラブルコンピュータ２０が呼び込んで実行する態様とすることも可能である。
【００７７】
また、上記実施の形態では、開閉装置選択画面２６を上下スクロール可能に表示したが、他例としては、この開閉装置選択画面２６を横スクロール可能にした態様や、複数の選択ボタン２６ａをスクロール不能なタッチ入力画像として同時表示した態様等とすることも可能である。
【００７８】
また、上記実施の形態では、回転操作体２２に対する回転操作の方向に、画面をスクロールするようにしたが、他例としては、竜頭タイプの回転操作体２２を、タッチパネル式ディスプレイ２１の脇に設けた上下２点ボタンや、十字キー、ポインティングデバイス等の方向入力装置（タッチパネル式ディスプレイ２１上の表示画像である場合を含む）に置換し、該方向入力装置への操作方向に画面をスクロールさせるようにすることも可能である。
また、上記実施の形態では、回転操作体２２に対する押圧操作により、ホーム画面Ｈが強制表示されるようにしたが、他例としては、前記方向入力装置や、その他の操作ボタンや、タッチ入力画像等に対する所定の操作により、ホーム画面Ｈが強制表示されるようにすることも可能である。
【００７９】
また、上記実施の形態に追加する構成として、操作画面２１ａから開閉装置選択画面２６へ遷移した後や、開閉装置選択画面２６から操作画面２１ａに遷移した後に、所定の「戻る」操作により、画面遷移順に前の画面を、遡って表示させる機能を加えてもよい。
【００８０】
また、上記実施の形態では、操作画面２１ａから開閉装置選択画面２６への画面遷移は画面への回転操作体２２の回転操作により行うようにしたが、他例としては、開閉装置選択画面２６への画面遷移ボタンをタッチパネル式ディスプレイ２１上に表示しておき、この画面遷移ボタンに対する操作によって画面遷移されるようにした態様や、該態様を上記実施の形態に組み合わせた構成とすることも可能である。
【００８１】
また、上記実施の形態では、直近に操作のあった開閉装置１（又は２）を自動的に操作対象とする手段（ステップ１）や、開閉装置選択画面２６でのタッチ入力操作に応じて操作対象の開閉装置が選択されるようにする手段（ステップ３ａ）を備えたが、他例としては、ウェアラブルコンピュータ２０が、通信機能により開閉装置１，２から得た情報に応じて操作対象とする開閉装置１（又は２）を自動的に選択する手段を具備することも可能である。
【００８２】
また、上記実施の形態では、特に好ましい態様として、停止ボタン２３、閉ボタン２４及び開ボタン２５等の操作画面２１ａを上下スクロール可能に表示したが、他例としては、この操作画面２１ａを横スクロール可能な構成とすることも可能である。
さらに、他例としては、閉ボタン２４及び開ボタン２５を、それぞれ停止ボタン２３とは独立した画面として備え、この画面が、スワイプ操作の方向に応じて切り替わるようにすることも可能である。
【００８３】
さらに、他の好ましい態様としては、操作画面２１ａ（ステップ１）において、最初に表示される停止ボタン２３が一旦タッチ入力操作されることを条件に、閉ボタン２４と開ボタン２５をスワイプ操作で選択できるようにしてもよい。
【００８４】
本発明は上述した実施の形態に限定されず、本発明の要旨を変更しない範囲で適宜変更可能である。
【符号の説明】
【００８５】
１，２：開閉装置
１０：補助端末
２０：ウェアラブルコンピュータ（移動体通信端末）
２１：タッチパネル式ディスプレイ
２２：回転操作体
２３：停止ボタン（タッチ入力画像）
２４：閉ボタン（タッチ入力画像）
２５：開ボタン（タッチ入力画像）
２６：開閉装置選択画面
Ｘ：無線通信システム
ｘ１：開閉装置制御サーバー
ｘ４：ネットワーク回線
【図１】
0006616654.tif 000002
【図２】
0006616654.tif 000003
【図３】
0006616654.tif 000004
【図４】
0006616654.tif 000005
【図５】
0006616654.tif 000006
【図６】
0006616654.tif 000007
【図７】
0006616654.tif 000008